(57)【要約】【課題】その前面における結露の発生を抑制し、かつ、意匠性の向上を図ることのできる空調室内機の提供。【解決手段】空調室内機は、本体と、前面パネル２０と、水平フラップ１７ａと、を備える。本体には、吹出口１６が形成されている。前面パネル２０は、本体の前側を覆うように配置される。水平フラップ１７ａは、吹出口１６から吹出される調和空気の風向を変更可能である。吹出口１６の開口周縁部のうちの上側縁部１６ａと前面パネル２０の下端部２０ａとの間には、その背面側に向かって窪む窪み部１２４が設けられている。そして、運転停止時には、窪み部及び吹出口１６が水平フラップ１７ａにより覆われる。【選択図】図５
2016142422.tif 000002
【特許請求の範囲】
【請求項１】
吹出口（１６）が形成された本体（１０）と、
前記本体の前側を覆うように配置されるパネル（２０）と、
前記吹出口から吹出される調和空気の風向を変更可能な水平フラップ（１７ａ，１７ｂ）と、
を備え、
前記吹出口の開口周縁部のうちの上側縁部（１６ａ）と前記パネルの下端部（２０ａ）との間には、その背面側に向かって窪む窪み部（１２４）が設けられており、
運転停止時には、前記窪み部及び前記吹出口が前記水平フラップにより覆われる、
空調室内機（１００）。
【請求項２】
前記窪み部は、前記本体において前記上側縁部の上側に位置している、
請求項１に記載の空調室内機。
【請求項３】
前記窪み部の縦断面積は、１０ｍｍ2以上である、
請求項１又は２に記載の空調室内機。
【請求項４】
前記本体は、前記窪み部の外周縁部上端と前記パネルの前記下端部との間にその背面側に向かって傾斜する傾斜面（１２５）を含み、
前記運転停止時には、前記窪み部及び前記吹出口に加えて前記傾斜面が前記水平フラップにより覆われる、
請求項１から３のいずれか１項に記載の空調室内機。
【請求項５】
前記本体内に配置されており、前記本体内に吸い込んだ空気を前記吹出口へと向かわせる空気流れを形成するファン（１４）、
を備え、
前記本体は、
前記パネルが前方に配置される前面部（１２１）、を含むグリル（１２）と、
前記ファンの前側から前記吹出口に向かって延びており、調和空気を前記吹出口へと導くスクロール（１１０）と、
を有し、
前記スクロールの前側端部は、前記前面部において前記吹出口近傍に位置する部分よりも前方に突出している、
請求項１から４のいずれか１項に記載の空調室内機。
【発明の詳細な説明】
【技術分野】
【０００１】
本発明は、空調室内機に関する。
【背景技術】
【０００２】
従来より、特許文献１（特開２００３−２３２５６０号公報）に開示されているように、水平フラップを利用して吹出口から吹出される調和空気を上方に向かう気流にすることのできる空調室内機がある。
【発明の概要】
【発明が解決しようとする課題】
【０００３】
ここで、吹出口から吹出される調和空気が冷気の場合、水平フラップによって調和空気の風向が上向きに調整されると、筐体の外側と内側との間に温度差が生じることで筐体の前面を構成する部分に結露が生じることがある。これに対する方策として、例えば特許文献１に開示されているように、筐体の前面において吹出口の上側となる部分に溝を設けることで、吹出口から吹出された調和空気が該前面に沿った気流となるのを抑制して、該前面における結露の発生を防止することが考えられる。
【０００４】
しかしながら、筐体の前面はユーザから視認される意匠面であるため、特許文献１に開示されているように該前面に溝を設けると、意匠性が低下してしまうという問題がある。
【０００５】
そこで、本発明の課題は、その前面における結露の発生を抑制し、かつ、意匠性の向上を図ることのできる空調室内機を提供することにある。
【課題を解決するための手段】
【０００６】
本発明の第１観点に係る空調室内機は、本体と、パネルと、水平フラップと、を備える。本体には、吹出口が形成されている。パネルは、本体の前側を覆うように配置される。水平フラップは、吹出口から吹出される調和空気の風向を変更可能である。吹出口の開口周縁部のうちの上側縁部とパネルの下端部との間には、その背面側に向かって窪む窪み部が設けられている。そして、運転停止時には、窪み部及び吹出口が水平フラップにより覆われる。
【０００７】
本発明の第１観点に係る空調室内機では、吹出口の上側縁部とパネルの下端部との間に窪み部が設けられている。このため、水平フラップによって調和空気としての冷気の風向が上向きに調整されたとしても、パネルの下端部と本体との目地からパネルの背面と本体の前面との間に冷気が侵入してパネルの前面側と背面側との間に温度差が生じることで、パネルの前面に結露が発生するおそれを抑制することができる。また、この空調室内機では、運転停止時には、窪み部及び吹出口が水平フラップによって覆われるため、運転停止時に窪み部がユーザによって視認され難くなる。このため、運転停止時に窪み部が外部から視認されるような構成であるよりも、意匠性を向上させることができる。
【０００８】
これによって、空調室内機の前面における結露の発生を抑制し、かつ、意匠性の向上を図ることができる。
【０００９】
本発明の第２観点に係る空調室内機は、第１観点の空調室内機において、窪み部は、本体において上側縁部の上側に設けられている。このため、この空調室内機では、水平フラップによって調和空気としての冷気の風向が上向きに調整されたとしても、本体の上側縁部に沿った気流を本体から剥離させることができる。
【００１０】
これによって、パネルの下端部と本体との目地からパネルの背面と本体の前面との間に冷気が侵入するおそれを低減することができる。
【００１１】
本発明の第３観点に係る空調室内機は、第１観点又は第２観点の空調室内機において、窪み部の縦断面積は、１０ｍｍ2以上である。この空調室内機では、窪み部の縦断面積が１０ｍｍ2以上あることで、本体の上側縁部に沿った気流が本体から剥離しないおそれを低減することができる。
【００１２】
本発明の第４観点に係る空調室内機は、第１観点から第３観点のいずれかの空調室内機において、本体は、窪み部の外周縁部上端とパネルの下端部との間に、傾斜面を含む。傾斜面は、空調室内機の背面側に向かって傾斜している。そして、運転停止時には、窪み部及び吹出口に加えて、前記傾斜面が水平フラップにより覆われる。この空調室内機では、窪み部の外周縁部上端とパネルの下端部との間、すなわち窪み部の外周縁部上端の上側に傾斜面があることで、水平フラップが窪み部を覆っていないときでも、窪み部が目立つおそれを低減することができる。
【００１３】
本発明の第５観点に係る空調室内機は、第１観点から第４観点のいずれかの空調室内機において、ファンを備える。ファンは、本体内に配置されている。ファンは、本体内に吸込んだ空気を吹出口へと向かわせる空気流れを形成する。本体は、グリルと、スクロールと、を有する。グリルは、前面パネルが前方に配置される前面部を含む。スクロールは、ファンの前側から吹出口に向かって延びている。スクロールは、調和空気を吹出口へと導く。そして、スクロールの前側端部は、前面部において吹出口近傍に位置する部分よりも前方に突出している。この空調室内機では、スクロールの前側端部が前面部の吹出口近傍に位置する部分よりも前方に突出していることで、水平フラップによって調和空気としての冷気の風向が上向きに調整されたとしても、吹出口から吹出された冷気が前面部に沿うおそれを低減することができる。
【発明の効果】
【００１４】
本発明の第１観点に係る空調室内機では、その前面における結露の発生を抑制し、かつ、意匠性の向上を図ることができる
本発明の第２観点に係る空調室内機では、パネルの下端部と本体との目地からパネルの背面と本体の前面との間に冷気が侵入するおそれを低減することができる。
【００１５】
本発明の第３観点に係る空調室内機では、本体の上側縁部に沿った気流が本体から剥離しないおそれを低減することができる。
【００１６】
本発明の第４観点に係る空調室内機では、窪み部が目立つおそれを低減することができる。
【００１７】
本発明の第５観点に係る空調室内機では、吹出口から吹出された調和空気が前面部に沿うおそれを低減することができる。
【図面の簡単な説明】
【００１８】
【図１】本発明の一実施形態に係る空調室内機の縦断面図。
【図２】室内熱交換器及び室内ファンの組立体と前面グリルとを分解した図。
【図３】本体とフィルタとを分解した図。
【図４】本体と前面パネルとを分解した図。
【図５】吹出口付近の部分断面図。
【図６】吹出口の上側縁部付近の部分断面図。
【図７】上吹きモード実行時の吹出口付近の部分断面図。
【図８】水平吹きモード実行時の吹出口付近の部分断面図。
【発明を実施するための形態】
【００１９】
以下、図面を参照しながら、本発明の一実施形態に係る空調室内機１００について説明する。なお、以下の実施形態は、本発明の具体例であって、本発明の技術的範囲を限定するものではなく、発明の要旨を逸脱しない範囲で適宜変更が可能である。
【００２０】
（１）空調室内機１００の構成
図１は、本発明の一実施形態に係る空調室内機１００の縦断面図である。図２は、室内熱交換器１３及び室内ファン１４が底フレーム１１に固定された室内熱交換器１３及び室内ファン１４の組立体に、前面グリル１２を取り付ける際の説明図である。図３は、本体１０にフィルタ１５を取り付ける際の説明図である。図４は、前面パネル２０を本体１０（前面グリル１２）に取り付ける際の説明図である。なお、図１中の破線矢印は、吸込口１９から吸い込まれ室内ファン１４へと至る空気流れ、或いは、室内ファン１４から吹出口１６へと至る空気流れを示している。
【００２１】
この空調室内機１００は、全体として一方向に細長い形状を呈しており（図４等参照）、その長手方向が水平となるように、部屋の壁面に据え付けられている。空調室内機１００は、冷房運転及び暖房運転を含む各種運転を行う。また、空調室内機１００は、風向調整板としての水平フラップ１７ａ，１７ｂを備えており、図示しないリモコン等からの制御信号を受信することで或いは自動的にその姿勢を変更し、吹出口１６から吹出される調和空気の風向を変更できるようになっている。
【００２２】
（２）空調室内機１００の詳細構成
（２−１）本体１０
本体１０は、前面グリル１２と底フレーム１１とを有している。本体１０の内部には、室内熱交換器１３や室内ファン１４等が収納されている。
【００２３】
（２−１−１）前面グリル１２
前面グリル１２は、例えば樹脂によって構成されており、前方から底フレーム１１に取り付けられ、本体１０の前面、左右両側面、天面、及び底面を構成する。前面グリル１２は、背面全体が開口した薄型の略直方体形状を呈する。なお、背面側には、空調室内機１００を部屋の壁面に据え付けるための据付板９０が固定される。
【００２４】
前面グリル１２の天面部１２０には、長手方向の両端部のうちの一方の端部を除き、吸込口１９が形成されている。ここでは、図３に示すように、吸込口１９は、天面部１２０の右側端部を除く略全面に形成されている。吸込口１９は、室内空気を本体１０内に吸込むための開口である。
【００２５】
前面グリル１２の前面部１２１には、室内熱交換器１３の前面側と対向する位置に吸込開口１２１ｂが形成されている。吸込開口１２１ｂと室内熱交換器１３との間には、フィルタ１５が配置されている。なお、フィルタ１５は、室内熱交換器１３の前方側から上方側まで延在しており、吸込口１９から取り入れられた室内空気中の塵埃を捕集する。さらに、前面部１２１の下部には吹出口１６を構成する開口１２１ｃが形成されている（図２参照）。
【００２６】
図５は、吹出口１６付近の部分拡大図である。前面部１２１には、前面グリル１２の背面側すなわち空調室内機１００の背面側に向かって窪む窪み部１２４が設けられている。窪み部１２４は、前面部１２１における開口１２１ｃの開口周縁部のうちの上側縁部１２１ｄの上側に配置されている。なお、窪み部１２４については、後に詳しく説明する。
【００２７】
前面グリル１２の底面部１２２は、図２に示すように、吹出口１６を構成する開口１２２ａが形成されている。ここでは、該開口１２２ａは底面部１２２の前部に設けられており、前面部１２１の下部に形成された開口１２１ｃ及び底フレーム１１と共に吹出口１６を構成する。
【００２８】
（２−１−２）底フレーム１１
底フレーム１１は、例えば樹脂によって構成されており、室内ファン１４の下方、後方、側方を覆う形状を呈している。底フレーム１１は、室内熱交換器１３及び室内ファン１４を固定する。
【００２９】
また、底フレーム１１は、その下部において、前面グリル１２と共に吹出口１６を構成している。具体的には、図１に示すように、底フレーム１１の有するスクロール１１０，１１１の下端部（前側端部）と前面グリル１２とが吹出口１６を構成している。
【００３０】
スクロール１１０，１１１は、調和空気を吹出口１６へと導くものであり、室内ファン１４から吹出口１６へと向かう空気の流れる通風経路を構成する。図１に示すように、スクロール１１０，１１１は、室内ファン１４の前後に対峙するように湾曲した隔壁であって、前側スクロール１１０と後側スクロール１１１とを含む。前側スクロール１１０は、室内ファン１４の前側から吹出口１６に向かって延びている。後側スクロール１１１は、室内ファン１４の後側から吹出口１６に向かって延びている。通風経路を通る空気は、スクロール１１０，１１１に沿って進み、スクロール１１０，１１１の終端の接線方向に送られる（図７参照）。したがって、吹出口１６に水平フラップ１７ａ，１７ｂがなければ、吹出口１６から吹出される調和空気の風向は、スクロール１１０，１１１の終端の接線に概ね沿った方向となる。
【００３１】
（２−２）水平フラップ１７ａ，１７ｂ
水平フラップ１７ａ，１７ｂは、平面状、又は円弧状の板状の部材である。水平フラップ１７ａ，１７ｂは、吹出口１６を塞ぐことのできる程度の面積を有している。ここでは、図１に示すように、円弧状の水平フラップ１７ａ，１７ｂが吹出口１６を閉じた状態において、その外側面が前面パネル２０の曲面の延長上にあるような外側に突出したなだらかな円弧曲面に仕上げられている。また、水平フラップ１７ａ，１７ｂの内側面は、外側面に対してほぼ平行な円弧曲面を成している。
【００３２】
水平フラップ１７ａ，１７ｂは、本体１０に固定されているモータ（図示せず）が駆動することで回動軸１８ａ，１８ｂ周りを回動することができるように構成されている。水平フラップ１７ａ，１７ｂは、回動軸１８ａ，１８ｂ周りを回動することで、様々な姿勢を採ることができる。
【００３３】
水平フラップ１７ａ，１７ｂが吹出口１６を開いている状態において、吹出口１６から吹出された調和空気は、水平フラップ１７ａ，１７ｂの内側面に概ね沿って流れる。すなわち、スクロール１１０，１１１の終端の接線方向に沿って吹出された調和空気は、その風向が水平フラップ１７ａ，１７ｂによって変更される。
【００３４】
（２−３）室内熱交換器１３及び室内ファン１４
室内熱交換器１３及び室内ファン１４は、底フレーム１１に取り付けられている。室内熱交換器１３及び室内ファン１４は、空調室内機１００の縦断面において、室内ファン１４が空調室内機１００の略中央に配置されており、逆Ｖ字型の形状を呈する室内熱交換器１３が室内ファン１４の上半分を囲むように配置されている。
【００３５】
室内熱交換器１３は、通過する空気との間で熱交換を行う。室内ファン１４は、例えばクロスフローファンであって、吸込口１９を介して取り込んだ部屋内の空気を室内熱交換器１３に当てて通過させた後に吹出口１６へと向かわせ、吹出口１６を介して部屋内へと吹出す空気流れを形成する。
【００３６】
（２−４）前面パネル２０
前面パネル２０は、例えば樹脂によって構成されており、本体１０（前面グリル１２）の前側を覆うように配置される。なお、ここでは、図１の破線矢印Ａでも示されているように、前面パネル２０と前面グリル１２（前面部１２１）との間には、吸込口１９から吸込まれた空気が吸込開口１２１ｂへと至るまでの通風経路となる隙間が形成されている。また、前面パネル２０は、本体１０の上部前方からなだらかな円弧曲面を描きながら吹出口１６近傍に向かって延びている。
【００３７】
前面パネル２０は、本体１０に対して着脱自在に構成されており、ユーザや設置作業者は、本体１０から前面パネル２０を容易に取り外すことができる。着脱自在な構成としては、例えば、前面パネル２０の上端が、前面グリル１２の天面部１２０の前側端部に回動自在に支持されており、ヒンジ式に動作する構成などがある。
【００３８】
（３）吹出口１６近傍の詳細構成
吹出口１６は、本体１０の下部に設けられており、空調室内機１００の長手方向を長辺とする長方形の開口である。ここでは、図１に示すように、吹出口１６は本体１０の下部前方に設けられており、吹出口１６の開口周縁部のうちの上側縁部１６ａと下側縁部１６ｂとを結ぶ仮想面は、前方上向きに傾斜している。また、上述したように、吹出口１６は、前面グリル１２と底フレーム１１とによって構成されている。そして、本実施形態では、図１に示すように、吹出口１６の下側縁部１６ｂが、前面グリル１２の底面部１２２の一部により構成されている。一方で、吹出口１６の上側縁部１６ａが、前側スクロール１１０の前側端部１１０ａにより構成されている。より詳しくは、図５に示すように、前面グリル１２の前面部１２１の下端部の一部である開口１２１ｃの上側縁部１２１ｄの下方に前側スクロール１１０の前側端部１１０ａが配置されており、ここでは、前側スクロール１１０の前側端部１１０ａが上側縁部１２１ｄよりも前方に突出するように、前面グリル１２が底フレーム１１に固定される。
【００３９】
図６は、吹出口１６の上側縁部１６ａ付近の部分断面図である。本実施形態では、吹出口１６の上側縁部１６ａと前面パネル２０の下端部２０ａとは近接しておらず、図６に示すように、吹出口１６の上側縁部１６ａと前面パネル２０の下端部２０ａとの間に隙間Ｓができるように、吹出口１６の上側縁部１６ａと前面パネル２０の下端部２０ａとが離れて位置している。なお、空調室内機１００の縦断面における該隙間Ｓの寸法Ｍ１は６ｍｍ以上になるように設計されており、該寸法Ｍ１は１０ｍｍ以上あることがより好ましい。ここでは、前側スクロール１１０の前側端部１１０ａから前面パネル２０の下端部２０ａまでの距離が１６ｍｍとなるように設計されているため、該寸法Ｍ１は１０ｍｍ以上になっている。また、隙間Ｓの鉛直方向の寸法Ｍ２は５ｍｍ以上になるように設計されており、該寸法Ｍ２は８ｍｍ以上あることがより好ましい。ここでは、前側スクロール１１０の前側端部１１０ａを通る水平方向に延びる仮想面と、前面パネル２０の下端部２０ａを通る水平方向に延びる仮想面との距離が６ｍｍとなるように設計されているため、該寸法Ｍ２は５ｍｍ以上になっている。そして、運転停止時には、水平フラップ１７ａ，１７ｂが吹出口１６だけでなく隙間Ｓを覆うように配置される。具体的には、図１や図５に示すように、運転停止時には、水平フラップ１７ａの前側端部１７ａａと前面パネル２０の下端部２０ａとが隣接するように水平フラップ１７ａが配置される。このため、運転停止時には、吹出口１６だけでなく該隙間Ｓが水平フラップ１７ａ，１７ｂによって覆われることで外部から該隙間Ｓが見えにくくなる。
【００４０】
さらに、前面グリル１２の前面部１２１における開口１２１ｃの上側縁部１２１ｄの上側、すなわち、吹出口１６の上側縁部１６ａの上側には、窪み部１２４が設けられている。図５及び図６に示すように、窪み部１２４は、前面部１２１において空調室内機１００の背面側に向かって他の部分よりも窪んだ部分である。そして、運転停止時には、水平フラップ１７ａ，１７ｂが吹出口１６だけでなく窪み部１２４を覆うように配置される。具体的には、図１や図５に示すように、運転停止時には、水平フラップ１７ａの前側端部１７ａａと前面パネル２０の下端部２０ａとが隣接するように水平フラップ１７ａが配置される。このため、運転停止時には、吹出口１６だけでなく窪み部１２４が水平フラップ１７ａ，１７ｂによって覆われることで外部から窪み部１２４が見えにくくなる。
【００４１】
また、前面部１２１は、窪み部１２４の外周縁部上端１２４ａと前面パネル２０の下端部２０ａとの間に、傾斜面１２５を含む。より詳しくは、図６に示すように、傾斜面１２５は、前面部１２１において、前面パネル２０の下端部２０ａに対向して位置する部分１２１ｅから窪み部１２４の外周縁部上端１２４ａまで延びている。そして、傾斜面１２５は、前面パネル２０の下端部２０ａに対向して位置する部分１２１ｅに隣接する端部（以下、前端部１２５ａという）が、窪み部１２４の外周縁部上端１２４ａに隣接する端部（以下、後端部１２５ｂという）よりも前方に位置している。さらに、傾斜面１２５は、前端部１２５ａが後端部１２５ｂよりも水平方向に対して上方に位置している。このため、傾斜面１２５は、空調室内機１００の背面側に向かって傾斜しているといえる。なお、窪み部１２４は、その縦断面積が１０ｍｍ2以上となるように設計されている。また、図５等に示すように、運転停止時には、水平フラップ１７ａ，１７ｂが吹出口１６及び窪み部１２４だけでなく、傾斜面１２５を覆うように配置される。さらに、ここでは、図５及び図６に示すように、前側スクロール１１０の前側端部１１０ａが、窪み部１２４の外周縁部下端１２４ｂに相当する前面部１２１の上側縁部１２１ｄよりも前方に位置している。このため、前側スクロール１１０の前側端部１１０ａが、前面部１２１において吹出口１６近傍に位置する部分よりも前方に突出しているといえる。
【００４２】
（４）調和空気の風向制御
本実施形態の空調室内機１００は、水平フラップ１７ａ，１７ｂを回動させて水平フラップ１７ａ，１７ｂに所定の姿勢を採らせることで、調和空気を上方へと導く上吹きモードと、調和空気を前方（水平方向）へと導く水平吹きモードと、を少なくとも有している。
【００４３】
（４−１）上吹きモード
図７は、上吹きモード実行時の吹出口１６近傍の部分断面図である。上吹きモードでは、水平フラップ１７ａ，１７ｂの前側端部１７ａａが後側端部１７ａｂよりも上側になる位置まで水平フラップ１７ａ，１７ｂを回動させる（図７参照）。なお、本実施形態のように水平フラップ１７ａ，１７ｂの内側面が円弧曲面をなしている場合は、内側湾曲面の前方端における接線Ｌ１が前後方向（水平方向）よりも前上がりになるまで水平フラップ１７ａ，１７ｂを回動させる。これにより、調和空気は、上向きに吹出される。
【００４４】
（４−２）水平吹きモード
図８は、水平吹きモード実行時の吹出口１６近傍の部分断面図である。水平吹きモードでは、水平フラップ１７ａ，１７ｂの前側端部１７ａａと後側端部１７ａｂとが水平になる位置までフラップを回動させる（図８参照）。本実施形態では、水平フラップ１７ａ，１７ｂの内側湾曲面の前方端における接線Ｌ１が略水平になるまで水平フラップ１７ａ，１７ｂを回動させる。これにより、調和空気は、水平方向に吹出される。
【００４５】
（５）特徴
（５−１）
本実施形態のように、本体の前方に前面パネルが配置されており、前面パネルの下方に吹出口が位置する構成の空調室内機において、水平フラップによって吹出口から吹出された調和空気の風向が上向きに調整されると、本体と前面パネルの下端部との目地から本体内に調和空気が吸込まれるショートサーキットが発生することがある。この調和空気が冷気である場合には、前面パネルの前面と背面との間に温度差が生じることで、前面パネルの下端部の前面に結露が生じてしまうことがある。
【００４６】
本実施形態では、吹出口１６の上側縁部１６ａと前面パネル２０の下端部２０ａとの間には、窪み部１２４が設けられている。このため、冷房運転時に上吹きモードが実行されることで、水平フラップ１７ａ，１７ｂによって調和空気としての冷気の風向が上向きに調整されたとしても、前面パネル２０の下端部２０ａと本体１０（前面グリル１２の前面部１２１）との目地部分から冷気が侵入するのを抑制することができる。これにより、前面パネル２０の下端部２０ａの前面が結露するおそれを低減することができる。
【００４７】
また、本実施形態によれば、前面パネル２０の下端部２０ａの前面が結露するおそれを低減することができるため、調和空気（吹出空気）の温度を上げることなく上吹きモードを実行することができる。
【００４８】
さらに、本実施形態では、運転停止時には、吹出口１６だけでなく吹出口１６の上側縁部１６ａと前面パネル２０の下端部２０ａとの間の窪み部１２４も水平フラップ１７ａ，１７ｂによって覆われるため、運転停止時には窪み部１２４が外部から視認され難くなる。したがって、運転停止時に窪み部１２４が外部から視認されるような構成であるよりも、意匠性が低下するのを抑制することができる。
【００４９】
加えて、本実施形態では、前面パネル２０の下端部２０ａの前面が結露するおそれを低減することができるため、断熱材等の防露材を設ける必要がなく、見栄えがよくなる。
【００５０】
これによって、空調室内機１００の前面における結露の発生を抑制し、かつ意匠性の低下の抑制を図ることができている。
【００５１】
（５−２）
本実施形態では、吹出口１６の上側縁部１６ａと前面パネル２０の下端部２０ａとの間には、縦断面における寸法Ｍ１が６ｍｍ以上であり、かつ鉛直方向の寸法Ｍ２が５ｍｍ以上ある隙間Ｓが設けられている。このため、冷房運転時に水平吹きモードが実行されることで、水平フラップ１７ａ，１７ｂによって調和空気としての冷気の風向が水平向きに調整されたとしても、前面パネル２０の下端部２０ａと本体１０（前面グリル１２の前面部１２１）との目地部分から冷気が侵入するのを抑制することができる。これにより、前面パネル２０の下端部２０ａの前面が結露するおそれを低減することができている。
【００５２】
（５−３）
本実施形態では、窪み部１２４が、前面グリル１２の前面部１２１において吹出口１６の上側縁部１６ａの上側に位置する部分に設けられている。このため、冷房運転時に上吹きモードが実行されることで、水平フラップ１７ａ，１７ｂによって調和空気としての冷気の風向が上向きに調整されたとしても、吹出口１６から吹出され吹出口１６の上側縁部１６ａに沿う気流を、前面部１２１から剥離することができる。
【００５３】
これによって、前面パネル２０の下端部２０ａと本体１０（前面グリル１２）との間に冷気が侵入することを抑制することができている。
【００５４】
（５−４）
本実施形態の窪み部１２４は、その縦断面積が１０ｍｍ2以上となるように設計されている。このため、吹出口１６の上側縁部１６ａに沿う気流が前面部１２１から剥離されずに前面パネル２０の下端部２０ａ近傍に位置する部分１２１ｅへと至るおそれを低減することができている。
【００５５】
（５−５）
本実施形態の前面グリル１２の前面部１２１には、窪み部１２４の外周縁部上端１２４ａと前面パネル２０の下端部２０ａとの間に傾斜面１２５がある。そして、傾斜面１２５は、空調室内機１００の背面側に向かって傾斜している。このため、空調室内機１００の空調運転時、すなわち、吹出口１６の上側縁部１６ａと前面パネル２０の下端部との間の隙間Ｓを水平フラップ１７ａ，１７ｂが覆っていないときでも、窪み部１２４が目立つおそれを低減することができている。
【００５６】
（５−６）
ここで、前側スクロールに沿って吹出口に至った調和空気の一部は、吹出口の上側縁部に沿った気流になることがある。そうすると、吹出口の上側縁部が前面グリルの前面部によって構成されている場合には、前側スクロールに沿って吹出口に至った調和空気の一部は、その後、前面部に沿って上方へと流れるおそれがある。
【００５７】
本実施形態では、前側スクロール１１０の前側端部１１０ａは、前面部１２１において吹出口１６近傍に位置する部分よりも前方に突出している。そして、前側スクロール１１０の前側端部１１０ａが吹出口１６の上側縁部１６ａを構成している。これにより、前側スクロール１１０に沿って吹出口１６に至った調和空気は、前側スクロール１１０の終端の接線に沿って吹出されるため、吹出口１６から吹出された調和空気が前面グリル１２の前面部１２１に沿って流れるおそれを低減することができている。
【００５８】
（６）変形例
（６−１）変形例Ａ
上記実施形態では、前面パネル２０の下端部２０ａと前面グリル１２の前面部１２１との目地部分からの冷気の侵入を抑制することで、前面パネル２０の下端部２０ａの前面において結露が発生するのを防止するために、吹出口１６の上側縁部１６ａと前面パネル２０の下端部２０ａとの間の隙間Ｓが設けられている他に、前面部１２１に窪み部１２４が設けられると共に、前側スクロール１１０の前側端部１１０ａを前面部１２１の下端部の一部である開口１２１ｃの上側縁部１２１ｄよりも前方に突出させている。
【００５９】
しかしながら、吹出口１６の上側縁部１６ａと前面パネル２０の下端部との間に隙間Ｓが設けられていれば、本発明はこれに限定されず、例えば、窪み部１２４や前側スクロール１１０の前側端部１１０ａの構成を備えていなくてもよい。或いは、吹出口１６の上側縁部１６ａと前面パネル２０の下端部２０ａとの間に隙間Ｓを設けた構成に加えて、窪み部１２４及び前側スクロール１１０の前側端部１１０ａの構成のいずれか一方のみを備えていてもよい。
【００６０】
（６−２）変形例Ｂ
上記実施形態では、窪み部１２４の外周縁部上端１２４ａと前面パネル２０の下端部２０ａとの間には、傾斜面１２５が配設されている。しかしながら、本発明はこれに限定されるものではなく、該傾斜面１２５が配設されていなくてもよい。ただし、意匠性向上の観点からは、傾斜面１２５が配設されていることが好ましい。
【産業上の利用可能性】
【００６１】
本発明によれば、空調室内機の前面における結露の発生を抑制し、かつ、意匠性の向上を図ることができる。
【符号の説明】
【００６２】
１０      本体
１２      前面グリル（グリル）
１４      室内ファン（ファン）
１６      吹出口
１６ａ    上側縁部
２０      前面パネル（パネル）
２０ａ    下端部
１００      空調室内機
１１０      前側スクロール（スクロール）
１２１      前面部
１２４      窪み部
１２５      傾斜面
１７ａ，１７ｂ  水平フラップ
【先行技術文献】
【特許文献】
【００６３】
【特許文献１】特開２００３−２３２５６０号公報
【図１】
2016142422.tif 000003
【図２】
2016142422.tif 000004
【図３】
2016142422.tif 000005
【図４】
2016142422.tif 000006
【図５】
2016142422.tif 000007
【図６】
2016142422.tif 000008
【図７】
2016142422.tif 000009
【図８】
2016142422.tif 000010
【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
吹出口（１６）が形成された本体（１０）と、
前記本体の前側を覆うように配置されるパネル（２０）と、
前記吹出口から吹出される調和空気の風向を変更可能な水平フラップ（１７ａ，１７ｂ）と、
前記本体内に配置されており、前記本体内に吸い込んだ空気を前記吹出口へと向かわせる空気流れを形成するファン（１４）と、
を備え、
前記吹出口の開口周縁部のうちの上側縁部（１６ａ）と前記パネルの下端部（２０ａ）との間には、その背面側に向かって窪む窪み部（１２４）が設けられており、
運転停止時には、前記窪み部及び前記吹出口が前記水平フラップにより覆われ、
前記本体は、
前記パネルが前方に配置される前面部（１２１）、を含むグリル（１２）と、
前記ファンの前側から前記吹出口に向かって延びており、調和空気を前記吹出口へと導くスクロール（１１０）と、
を有し、
前記スクロールの前側端部は、前記窪み部の外周縁部下端（１２４ｂ）に相当する部分であって前記前面部において前記吹出口近傍に位置する部分よりも所定長さだけ前方に突出している、空調室内機。
【請求項２】
前記窪み部は、前記本体において前記上側縁部の上側に位置している、
請求項１に記載の空調室内機。
【請求項３】
前記窪み部の縦断面積は、１０ｍｍ2以上である、
請求項１又は２に記載の空調室内機。
【請求項４】
前記本体は、前記窪み部の外周縁部上端と前記パネルの前記下端部との間にその背面側に向かって傾斜する傾斜面（１２５）を含み、
前記運転停止時には、前記窪み部及び前記吹出口に加えて前記傾斜面が前記水平フラップにより覆われる、
請求項１から３のいずれか１項に記載の空調室内機。
【手続補正２】
【補正対象書類名】明細書
【補正対象項目名】全文
【補正方法】変更
【補正の内容】
【発明の詳細な説明】
【技術分野】
【０００１】
本発明は、空調室内機に関する。
【背景技術】
【０００２】
従来より、特許文献１（特開２００３−２３２５６０号公報）に開示されているように、水平フラップを利用して吹出口から吹出される調和空気を上方に向かう気流にすることのできる空調室内機がある。
【発明の概要】
【発明が解決しようとする課題】
【０００３】
ここで、吹出口から吹出される調和空気が冷気の場合、水平フラップによって調和空気の風向が上向きに調整されると、筐体の外側と内側との間に温度差が生じることで筐体の前面を構成する部分に結露が生じることがある。これに対する方策として、例えば特許文献１に開示されているように、筐体の前面において吹出口の上側となる部分に溝を設けることで、吹出口から吹出された調和空気が該前面に沿った気流となるのを抑制して、該前面における結露の発生を防止することが考えられる。
【０００４】
しかしながら、筐体の前面はユーザから視認される意匠面であるため、特許文献１に開示されているように該前面に溝を設けると、意匠性が低下してしまうという問題がある。
【０００５】
そこで、本発明の課題は、その前面における結露の発生を抑制し、かつ、意匠性の向上を図ることのできる空調室内機を提供することにある。
【課題を解決するための手段】
【０００６】
本発明の第１観点に係る空調室内機は、本体と、パネルと、水平フラップと、を備える。本体には、吹出口が形成されている。パネルは、本体の前側を覆うように配置される。水平フラップは、吹出口から吹出される調和空気の風向を変更可能である。吹出口の開口周縁部のうちの上側縁部とパネルの下端部との間には、その背面側に向かって窪む窪み部が設けられている。そして、運転停止時には、窪み部及び吹出口が水平フラップにより覆われる。
【０００７】
本発明の第１観点に係る空調室内機では、吹出口の上側縁部とパネルの下端部との間に窪み部が設けられている。このため、水平フラップによって調和空気としての冷気の風向が上向きに調整されたとしても、パネルの下端部と本体との目地からパネルの背面と本体の前面との間に冷気が侵入してパネルの前面側と背面側との間に温度差が生じることで、パネルの前面に結露が発生するおそれを抑制することができる。また、この空調室内機では、運転停止時には、窪み部及び吹出口が水平フラップによって覆われるため、運転停止時に窪み部がユーザによって視認され難くなる。このため、運転停止時に窪み部が外部から視認されるような構成であるよりも、意匠性を向上させることができる。
【０００８】
これによって、空調室内機の前面における結露の発生を抑制し、かつ、意匠性の向上を図ることができる。
【０００９】
また、第１観点に係る空調室内機は、ファンを備える。ファンは、本体内に配置されている。ファンは、本体内に吸込んだ空気を吹出口へと向かわせる空気流れを形成する。本体は、グリルと、スクロールと、を有する。グリルは、前面パネルが前方に配置される前面部を含む。スクロールは、ファンの前側から吹出口に向かって延びている。スクロールは、調和空気を吹出口へと導く。そして、スクロールの前側端部は、窪み部の外周縁部下端に相当する部分であって前面部において吹出口近傍に位置する部分よりも所定長さだけ前方に突出している。この空調室内機では、スクロールの前側端部が前面部の吹出口近傍に位置する部分よりも前方に突出していることで、水平フラップによって調和空気としての冷気の風向が上向きに調整されたとしても、吹出口から吹出された冷気が前面部に沿うおそれを低減することができる。
【００１０】
本発明の第２観点に係る空調室内機は、第１観点の空調室内機において、窪み部は、本体において上側縁部の上側に設けられている。このため、この空調室内機では、水平フラップによって調和空気としての冷気の風向が上向きに調整されたとしても、本体の上側縁部に沿った気流を本体から剥離させることができる。
【００１１】
これによって、パネルの下端部と本体との目地からパネルの背面と本体の前面との間に冷気が侵入するおそれを低減することができる。
【００１２】
本発明の第３観点に係る空調室内機は、第１観点又は第２観点の空調室内機において、窪み部の縦断面積は、１０ｍｍ2以上である。この空調室内機では、窪み部の縦断面積が１０ｍｍ2以上あることで、本体の上側縁部に沿った気流が本体から剥離しないおそれを低減することができる。
【００１３】
本発明の第４観点に係る空調室内機は、第１観点から第３観点のいずれかの空調室内機において、本体は、窪み部の外周縁部上端とパネルの下端部との間に、傾斜面を含む。傾斜面は、空調室内機の背面側に向かって傾斜している。そして、運転停止時には、窪み部及び吹出口に加えて、前記傾斜面が水平フラップにより覆われる。この空調室内機では、窪み部の外周縁部上端とパネルの下端部との間、すなわち窪み部の外周縁部上端の上側に傾斜面があることで、水平フラップが窪み部を覆っていないときでも、窪み部が目立つおそれを低減することができる。
【発明の効果】
【００１４】
本発明の第１観点に係る空調室内機では、その前面における結露の発生を抑制し、かつ、意匠性の向上を図ることができる。また、吹出口から吹出された調和空気が前面部に沿うおそれを低減することができる。
【００１５】
本発明の第２観点に係る空調室内機では、パネルの下端部と本体との目地からパネルの背面と本体の前面との間に冷気が侵入するおそれを低減することができる。
【００１６】
本発明の第３観点に係る空調室内機では、本体の上側縁部に沿った気流が本体から剥離しないおそれを低減することができる。
【００１７】
本発明の第４観点に係る空調室内機では、窪み部が目立つおそれを低減することができる。
【図面の簡単な説明】
【００１８】
【図１】本発明の一実施形態に係る空調室内機の縦断面図。
【図２】室内熱交換器及び室内ファンの組立体と前面グリルとを分解した図。
【図３】本体とフィルタとを分解した図。
【図４】本体と前面パネルとを分解した図。
【図５】吹出口付近の部分断面図。
【図６】吹出口の上側縁部付近の部分断面図。
【図７】上吹きモード実行時の吹出口付近の部分断面図。
【図８】水平吹きモード実行時の吹出口付近の部分断面図。
【発明を実施するための形態】
【００１９】
以下、図面を参照しながら、本発明の一実施形態に係る空調室内機１００について説明する。なお、以下の実施形態は、本発明の具体例であって、本発明の技術的範囲を限定するものではなく、発明の要旨を逸脱しない範囲で適宜変更が可能である。
【００２０】
（１）空調室内機１００の構成
図１は、本発明の一実施形態に係る空調室内機１００の縦断面図である。図２は、室内熱交換器１３及び室内ファン１４が底フレーム１１に固定された室内熱交換器１３及び室内ファン１４の組立体に、前面グリル１２を取り付ける際の説明図である。図３は、本体１０にフィルタ１５を取り付ける際の説明図である。図４は、前面パネル２０を本体１０（前面グリル１２）に取り付ける際の説明図である。なお、図１中の破線矢印は、吸込口１９から吸い込まれ室内ファン１４へと至る空気流れ、或いは、室内ファン１４から吹出口１６へと至る空気流れを示している。
【００２１】
この空調室内機１００は、全体として一方向に細長い形状を呈しており（図４等参照）、その長手方向が水平となるように、部屋の壁面に据え付けられている。空調室内機１００は、冷房運転及び暖房運転を含む各種運転を行う。また、空調室内機１００は、風向調整板としての水平フラップ１７ａ，１７ｂを備えており、図示しないリモコン等からの制御信号を受信することで或いは自動的にその姿勢を変更し、吹出口１６から吹出される調和空気の風向を変更できるようになっている。
【００２２】
（２）空調室内機１００の詳細構成
（２−１）本体１０
本体１０は、前面グリル１２と底フレーム１１とを有している。本体１０の内部には、室内熱交換器１３や室内ファン１４等が収納されている。
【００２３】
（２−１−１）前面グリル１２
前面グリル１２は、例えば樹脂によって構成されており、前方から底フレーム１１に取り付けられ、本体１０の前面、左右両側面、天面、及び底面を構成する。前面グリル１２は、背面全体が開口した薄型の略直方体形状を呈する。なお、背面側には、空調室内機１００を部屋の壁面に据え付けるための据付板９０が固定される。
【００２４】
前面グリル１２の天面部１２０には、長手方向の両端部のうちの一方の端部を除き、吸込口１９が形成されている。ここでは、図３に示すように、吸込口１９は、天面部１２０の右側端部を除く略全面に形成されている。吸込口１９は、室内空気を本体１０内に吸込むための開口である。
【００２５】
前面グリル１２の前面部１２１には、室内熱交換器１３の前面側と対向する位置に吸込開口１２１ｂが形成されている。吸込開口１２１ｂと室内熱交換器１３との間には、フィルタ１５が配置されている。なお、フィルタ１５は、室内熱交換器１３の前方側から上方側まで延在しており、吸込口１９から取り入れられた室内空気中の塵埃を捕集する。さらに、前面部１２１の下部には吹出口１６を構成する開口１２１ｃが形成されている（図２参照）。
【００２６】
図５は、吹出口１６付近の部分拡大図である。前面部１２１には、前面グリル１２の背面側すなわち空調室内機１００の背面側に向かって窪む窪み部１２４が設けられている。窪み部１２４は、前面部１２１における開口１２１ｃの開口周縁部のうちの上側縁部１２１ｄの上側に配置されている。なお、窪み部１２４については、後に詳しく説明する。
【００２７】
前面グリル１２の底面部１２２は、図２に示すように、吹出口１６を構成する開口１２２ａが形成されている。ここでは、該開口１２２ａは底面部１２２の前部に設けられており、前面部１２１の下部に形成された開口１２１ｃ及び底フレーム１１と共に吹出口１６を構成する。
【００２８】
（２−１−２）底フレーム１１
底フレーム１１は、例えば樹脂によって構成されており、室内ファン１４の下方、後方、側方を覆う形状を呈している。底フレーム１１は、室内熱交換器１３及び室内ファン１４を固定する。
【００２９】
また、底フレーム１１は、その下部において、前面グリル１２と共に吹出口１６を構成している。具体的には、図１に示すように、底フレーム１１の有するスクロール１１０，１１１の下端部（前側端部）と前面グリル１２とが吹出口１６を構成している。
【００３０】
スクロール１１０，１１１は、調和空気を吹出口１６へと導くものであり、室内ファン１４から吹出口１６へと向かう空気の流れる通風経路を構成する。図１に示すように、スクロール１１０，１１１は、室内ファン１４の前後に対峙するように湾曲した隔壁であって、前側スクロール１１０と後側スクロール１１１とを含む。前側スクロール１１０は、室内ファン１４の前側から吹出口１６に向かって延びている。後側スクロール１１１は、室内ファン１４の後側から吹出口１６に向かって延びている。通風経路を通る空気は、スクロール１１０，１１１に沿って進み、スクロール１１０，１１１の終端の接線方向に送られる（図７参照）。したがって、吹出口１６に水平フラップ１７ａ，１７ｂがなければ、吹出口１６から吹出される調和空気の風向は、スクロール１１０，１１１の終端の接線に概ね沿った方向となる。
【００３１】
（２−２）水平フラップ１７ａ，１７ｂ
水平フラップ１７ａ，１７ｂは、平面状、又は円弧状の板状の部材である。水平フラップ１７ａ，１７ｂは、吹出口１６を塞ぐことのできる程度の面積を有している。ここでは、図１に示すように、円弧状の水平フラップ１７ａ，１７ｂが吹出口１６を閉じた状態において、その外側面が前面パネル２０の曲面の延長上にあるような外側に突出したなだらかな円弧曲面に仕上げられている。また、水平フラップ１７ａ，１７ｂの内側面は、外側面に対してほぼ平行な円弧曲面を成している。
【００３２】
水平フラップ１７ａ，１７ｂは、本体１０に固定されているモータ（図示せず）が駆動することで回動軸１８ａ，１８ｂ周りを回動することができるように構成されている。水平フラップ１７ａ，１７ｂは、回動軸１８ａ，１８ｂ周りを回動することで、様々な姿勢を採ることができる。
【００３３】
水平フラップ１７ａ，１７ｂが吹出口１６を開いている状態において、吹出口１６から吹出された調和空気は、水平フラップ１７ａ，１７ｂの内側面に概ね沿って流れる。すなわち、スクロール１１０，１１１の終端の接線方向に沿って吹出された調和空気は、その風向が水平フラップ１７ａ，１７ｂによって変更される。
【００３４】
（２−３）室内熱交換器１３及び室内ファン１４
室内熱交換器１３及び室内ファン１４は、底フレーム１１に取り付けられている。室内熱交換器１３及び室内ファン１４は、空調室内機１００の縦断面において、室内ファン１４が空調室内機１００の略中央に配置されており、逆Ｖ字型の形状を呈する室内熱交換器１３が室内ファン１４の上半分を囲むように配置されている。
【００３５】
室内熱交換器１３は、通過する空気との間で熱交換を行う。室内ファン１４は、例えばクロスフローファンであって、吸込口１９を介して取り込んだ部屋内の空気を室内熱交換器１３に当てて通過させた後に吹出口１６へと向かわせ、吹出口１６を介して部屋内へと吹出す空気流れを形成する。
【００３６】
（２−４）前面パネル２０
前面パネル２０は、例えば樹脂によって構成されており、本体１０（前面グリル１２）の前側を覆うように配置される。なお、ここでは、図１の破線矢印Ａでも示されているように、前面パネル２０と前面グリル１２（前面部１２１）との間には、吸込口１９から吸込まれた空気が吸込開口１２１ｂへと至るまでの通風経路となる隙間が形成されている。また、前面パネル２０は、本体１０の上部前方からなだらかな円弧曲面を描きながら吹出口１６近傍に向かって延びている。
【００３７】
前面パネル２０は、本体１０に対して着脱自在に構成されており、ユーザや設置作業者は、本体１０から前面パネル２０を容易に取り外すことができる。着脱自在な構成としては、例えば、前面パネル２０の上端が、前面グリル１２の天面部１２０の前側端部に回動自在に支持されており、ヒンジ式に動作する構成などがある。
【００３８】
（３）吹出口１６近傍の詳細構成
吹出口１６は、本体１０の下部に設けられており、空調室内機１００の長手方向を長辺とする長方形の開口である。ここでは、図１に示すように、吹出口１６は本体１０の下部前方に設けられており、吹出口１６の開口周縁部のうちの上側縁部１６ａと下側縁部１６ｂとを結ぶ仮想面は、前方上向きに傾斜している。また、上述したように、吹出口１６は、前面グリル１２と底フレーム１１とによって構成されている。そして、本実施形態では、図１に示すように、吹出口１６の下側縁部１６ｂが、前面グリル１２の底面部１２２の一部により構成されている。一方で、吹出口１６の上側縁部１６ａが、前側スクロール１１０の前側端部１１０ａにより構成されている。より詳しくは、図５に示すように、前面グリル１２の前面部１２１の下端部の一部である開口１２１ｃの上側縁部１２１ｄの下方に前側スクロール１１０の前側端部１１０ａが配置されており、ここでは、前側スクロール１１０の前側端部１１０ａが上側縁部１２１ｄよりも前方に突出するように、前面グリル１２が底フレーム１１に固定される。
【００３９】
図６は、吹出口１６の上側縁部１６ａ付近の部分断面図である。本実施形態では、吹出口１６の上側縁部１６ａと前面パネル２０の下端部２０ａとは近接しておらず、図６に示すように、吹出口１６の上側縁部１６ａと前面パネル２０の下端部２０ａとの間に隙間Ｓができるように、吹出口１６の上側縁部１６ａと前面パネル２０の下端部２０ａとが離れて位置している。なお、空調室内機１００の縦断面における該隙間Ｓの寸法Ｍ１は６ｍｍ以上になるように設計されており、該寸法Ｍ１は１０ｍｍ以上あることがより好ましい。ここでは、前側スクロール１１０の前側端部１１０ａから前面パネル２０の下端部２０ａまでの距離が１６ｍｍとなるように設計されているため、該寸法Ｍ１は１０ｍｍ以上になっている。また、隙間Ｓの鉛直方向の寸法Ｍ２は５ｍｍ以上になるように設計されており、該寸法Ｍ２は８ｍｍ以上あることがより好ましい。ここでは、前側スクロール１１０の前側端部１１０ａを通る水平方向に延びる仮想面と、前面パネル２０の下端部２０ａを通る水平方向に延びる仮想面との距離が６ｍｍとなるように設計されているため、該寸法Ｍ２は５ｍｍ以上になっている。そして、運転停止時には、水平フラップ１７ａ，１７ｂが吹出口１６だけでなく隙間Ｓを覆うように配置される。具体的には、図１や図５に示すように、運転停止時には、水平フラップ１７ａの前側端部１７ａａと前面パネル２０の下端部２０ａとが隣接するように水平フラップ１７ａが配置される。このため、運転停止時には、吹出口１６だけでなく該隙間Ｓが水平フラップ１７ａ，１７ｂによって覆われることで外部から該隙間Ｓが見えにくくなる。
【００４０】
さらに、前面グリル１２の前面部１２１における開口１２１ｃの上側縁部１２１ｄの上側、すなわち、吹出口１６の上側縁部１６ａの上側には、窪み部１２４が設けられている。図５及び図６に示すように、窪み部１２４は、前面部１２１において空調室内機１００の背面側に向かって他の部分よりも窪んだ部分である。そして、運転停止時には、水平フラップ１７ａ，１７ｂが吹出口１６だけでなく窪み部１２４を覆うように配置される。具体的には、図１や図５に示すように、運転停止時には、水平フラップ１７ａの前側端部１７ａａと前面パネル２０の下端部２０ａとが隣接するように水平フラップ１７ａが配置される。このため、運転停止時には、吹出口１６だけでなく窪み部１２４が水平フラップ１７ａ，１７ｂによって覆われることで外部から窪み部１２４が見えにくくなる。
【００４１】
また、前面部１２１は、窪み部１２４の外周縁部上端１２４ａと前面パネル２０の下端部２０ａとの間に、傾斜面１２５を含む。より詳しくは、図６に示すように、傾斜面１２５は、前面部１２１において、前面パネル２０の下端部２０ａに対向して位置する部分１２１ｅから窪み部１２４の外周縁部上端１２４ａまで延びている。そして、傾斜面１２５は、前面パネル２０の下端部２０ａに対向して位置する部分１２１ｅに隣接する端部（以下、前端部１２５ａという）が、窪み部１２４の外周縁部上端１２４ａに隣接する端部（以下、後端部１２５ｂという）よりも前方に位置している。さらに、傾斜面１２５は、前端部１２５ａが後端部１２５ｂよりも水平方向に対して上方に位置している。このため、傾斜面１２５は、空調室内機１００の背面側に向かって傾斜しているといえる。なお、窪み部１２４は、その縦断面積が１０ｍｍ2以上となるように設計されている。また、図５等に示すように、運転停止時には、水平フラップ１７ａ，１７ｂが吹出口１６及び窪み部１２４だけでなく、傾斜面１２５を覆うように配置される。さらに、ここでは、図５及び図６に示すように、前側スクロール１１０の前側端部１１０ａが、窪み部１２４の外周縁部下端１２４ｂに相当する前面部１２１の上側縁部１２１ｄよりも前方に位置している。このため、前側スクロール１１０の前側端部１１０ａが、前面部１２１において吹出口１６近傍に位置する部分よりも前方に突出しているといえる。
【００４２】
（４）調和空気の風向制御
本実施形態の空調室内機１００は、水平フラップ１７ａ，１７ｂを回動させて水平フラップ１７ａ，１７ｂに所定の姿勢を採らせることで、調和空気を上方へと導く上吹きモードと、調和空気を前方（水平方向）へと導く水平吹きモードと、を少なくとも有している。
【００４３】
（４−１）上吹きモード
図７は、上吹きモード実行時の吹出口１６近傍の部分断面図である。上吹きモードでは、水平フラップ１７ａ，１７ｂの前側端部１７ａａが後側端部１７ａｂよりも上側になる位置まで水平フラップ１７ａ，１７ｂを回動させる（図７参照）。なお、本実施形態のように水平フラップ１７ａ，１７ｂの内側面が円弧曲面をなしている場合は、内側湾曲面の前方端における接線Ｌ１が前後方向（水平方向）よりも前上がりになるまで水平フラップ１７ａ，１７ｂを回動させる。これにより、調和空気は、上向きに吹出される。
【００４４】
（４−２）水平吹きモード
図８は、水平吹きモード実行時の吹出口１６近傍の部分断面図である。水平吹きモードでは、水平フラップ１７ａ，１７ｂの前側端部１７ａａと後側端部１７ａｂとが水平になる位置までフラップを回動させる（図８参照）。本実施形態では、水平フラップ１７ａ，１７ｂの内側湾曲面の前方端における接線Ｌ１が略水平になるまで水平フラップ１７ａ，１７ｂを回動させる。これにより、調和空気は、水平方向に吹出される。
【００４５】
（５）特徴
（５−１）
本実施形態のように、本体の前方に前面パネルが配置されており、前面パネルの下方に吹出口が位置する構成の空調室内機において、水平フラップによって吹出口から吹出された調和空気の風向が上向きに調整されると、本体と前面パネルの下端部との目地から本体内に調和空気が吸込まれるショートサーキットが発生することがある。この調和空気が冷気である場合には、前面パネルの前面と背面との間に温度差が生じることで、前面パネルの下端部の前面に結露が生じてしまうことがある。
【００４６】
本実施形態では、吹出口１６の上側縁部１６ａと前面パネル２０の下端部２０ａとの間には、窪み部１２４が設けられている。このため、冷房運転時に上吹きモードが実行されることで、水平フラップ１７ａ，１７ｂによって調和空気としての冷気の風向が上向きに調整されたとしても、前面パネル２０の下端部２０ａと本体１０（前面グリル１２の前面部１２１）との目地部分から冷気が侵入するのを抑制することができる。これにより、前面パネル２０の下端部２０ａの前面が結露するおそれを低減することができる。
【００４７】
また、本実施形態によれば、前面パネル２０の下端部２０ａの前面が結露するおそれを低減することができるため、調和空気（吹出空気）の温度を上げることなく上吹きモードを実行することができる。
【００４８】
さらに、本実施形態では、運転停止時には、吹出口１６だけでなく吹出口１６の上側縁部１６ａと前面パネル２０の下端部２０ａとの間の窪み部１２４も水平フラップ１７ａ，１７ｂによって覆われるため、運転停止時には窪み部１２４が外部から視認され難くなる。したがって、運転停止時に窪み部１２４が外部から視認されるような構成であるよりも、意匠性が低下するのを抑制することができる。
【００４９】
加えて、本実施形態では、前面パネル２０の下端部２０ａの前面が結露するおそれを低減することができるため、断熱材等の防露材を設ける必要がなく、見栄えがよくなる。
【００５０】
これによって、空調室内機１００の前面における結露の発生を抑制し、かつ意匠性の低下の抑制を図ることができている。
【００５１】
（５−２）
本実施形態では、吹出口１６の上側縁部１６ａと前面パネル２０の下端部２０ａとの間には、縦断面における寸法Ｍ１が６ｍｍ以上であり、かつ鉛直方向の寸法Ｍ２が５ｍｍ以上ある隙間Ｓが設けられている。このため、冷房運転時に水平吹きモードが実行されることで、水平フラップ１７ａ，１７ｂによって調和空気としての冷気の風向が水平向きに調整されたとしても、前面パネル２０の下端部２０ａと本体１０（前面グリル１２の前面部１２１）との目地部分から冷気が侵入するのを抑制することができる。これにより、前面パネル２０の下端部２０ａの前面が結露するおそれを低減することができている。
【００５２】
（５−３）
本実施形態では、窪み部１２４が、前面グリル１２の前面部１２１において吹出口１６の上側縁部１６ａの上側に位置する部分に設けられている。このため、冷房運転時に上吹きモードが実行されることで、水平フラップ１７ａ，１７ｂによって調和空気としての冷気の風向が上向きに調整されたとしても、吹出口１６から吹出され吹出口１６の上側縁部１６ａに沿う気流を、前面部１２１から剥離することができる。
【００５３】
これによって、前面パネル２０の下端部２０ａと本体１０（前面グリル１２）との間に冷気が侵入することを抑制することができている。
【００５４】
（５−４）
本実施形態の窪み部１２４は、その縦断面積が１０ｍｍ2以上となるように設計されている。このため、吹出口１６の上側縁部１６ａに沿う気流が前面部１２１から剥離されずに前面パネル２０の下端部２０ａ近傍に位置する部分１２１ｅへと至るおそれを低減することができている。
【００５５】
（５−５）
本実施形態の前面グリル１２の前面部１２１には、窪み部１２４の外周縁部上端１２４ａと前面パネル２０の下端部２０ａとの間に傾斜面１２５がある。そして、傾斜面１２５は、空調室内機１００の背面側に向かって傾斜している。このため、空調室内機１００の空調運転時、すなわち、吹出口１６の上側縁部１６ａと前面パネル２０の下端部との間の隙間Ｓを水平フラップ１７ａ，１７ｂが覆っていないときでも、窪み部１２４が目立つおそれを低減することができている。
【００５６】
（５−６）
ここで、前側スクロールに沿って吹出口に至った調和空気の一部は、吹出口の上側縁部に沿った気流になることがある。そうすると、吹出口の上側縁部が前面グリルの前面部によって構成されている場合には、前側スクロールに沿って吹出口に至った調和空気の一部は、その後、前面部に沿って上方へと流れるおそれがある。
【００５７】
本実施形態では、前側スクロール１１０の前側端部１１０ａは、前面部１２１において吹出口１６近傍に位置する部分よりも前方に突出している。そして、前側スクロール１１０の前側端部１１０ａが吹出口１６の上側縁部１６ａを構成している。これにより、前側スクロール１１０に沿って吹出口１６に至った調和空気は、前側スクロール１１０の終端の接線に沿って吹出されるため、吹出口１６から吹出された調和空気が前面グリル１２の前面部１２１に沿って流れるおそれを低減することができている。
【００５８】
（６）変形例
（６−１）変形例Ａ
上記実施形態では、前面パネル２０の下端部２０ａと前面グリル１２の前面部１２１との目地部分からの冷気の侵入を抑制することで、前面パネル２０の下端部２０ａの前面において結露が発生するのを防止するために、吹出口１６の上側縁部１６ａと前面パネル２０の下端部２０ａとの間の隙間Ｓが設けられている他に、前面部１２１に窪み部１２４が設けられると共に、前側スクロール１１０の前側端部１１０ａを前面部１２１の下端部の一部である開口１２１ｃの上側縁部１２１ｄよりも前方に突出させている。
【００５９】
しかしながら、吹出口１６の上側縁部１６ａと前面パネル２０の下端部との間に隙間Ｓが設けられていれば、本発明はこれに限定されず、例えば、窪み部１２４や前側スクロール１１０の前側端部１１０ａの構成を備えていなくてもよい。或いは、吹出口１６の上側縁部１６ａと前面パネル２０の下端部２０ａとの間に隙間Ｓを設けた構成に加えて、窪み部１２４及び前側スクロール１１０の前側端部１１０ａの構成のいずれか一方のみを備えていてもよい。
【００６０】
（６−２）変形例Ｂ
上記実施形態では、窪み部１２４の外周縁部上端１２４ａと前面パネル２０の下端部２０ａとの間には、傾斜面１２５が配設されている。しかしながら、本発明はこれに限定されるものではなく、該傾斜面１２５が配設されていなくてもよい。ただし、意匠性向上の観点からは、傾斜面１２５が配設されていることが好ましい。
【産業上の利用可能性】
【００６１】
本発明によれば、空調室内機の前面における結露の発生を抑制し、かつ、意匠性の向上を図ることができる。
【符号の説明】
【００６２】
１０      本体
１２      前面グリル（グリル）
１４      室内ファン（ファン）
１６      吹出口
１６ａ    上側縁部
２０      前面パネル（パネル）
２０ａ    下端部
１００      空調室内機
１１０      前側スクロール（スクロール）
１２１      前面部
１２４      窪み部
１２５      傾斜面
１７ａ，１７ｂ  水平フラップ
【先行技術文献】
【特許文献】
【００６３】
【特許文献１】特開２００３−２３２５６０号公報